(57)【要約】【課題】装着感が良好でなかったり、他の人に違和感を与えたりする問題を解消することが望まれていた。【解決手段】頭部に着用した時に同頭部に接する帽子本体部１１と、同帽子本体部１１から互いに略反対側に延出した第一のつば部１２および第二のつば部１３とを備え、第二のつば部１３を帽子本体部１１に対して着脱可能に取り付ける構成にした。使用環境等に応じて第二のつば部を取り付けたり取り外したりすることにより、さらに装着感を向上させたり、人に違和感を与えないようにしたりすることができる。また、第二のつば部の先端部を帽子本体部に対して進退可能に設ける構成としてもよいし、第二のつば部の大きさを可変とする構成としてもよいし、第二のつば部の先端部に帽子本体部方向に向かって窪んだ凹部を形成した構成としてもよい。【選択図】　図１
2004068202.tif 000002
【特許請求の範囲】
【請求項１】
頭部に着用した時に同頭部に接する帽子本体部と、
上記帽子本体部から互いに略反対側に延出した第一および第二のつば部とを備え、
上記第二のつば部は、上記帽子本体部に対して着脱可能に取り付けられていることを特徴とするつば付き帽子。
【請求項２】
上記第二のつば部は、ベルクロ、ファスナー、スナップ、ボタン、ホックのいずれかまたは組み合わせにより上記帽子本体部に対して着脱可能に取り付けられることを特徴とする請求項１に記載のつば付き帽子。
【請求項３】
上記第二のつば部は、上記帽子本体部から取り外されたとき、上記第一のつば部の下面に取り付け可能とされていることを特徴とする請求項１または請求項２のいずれかに記載のつば付き帽子。
【請求項４】
頭部に着用した時に同頭部に接する帽子本体部と、
上記帽子本体部から互いに略反対側に延出した第一および第二のつば部とを備え、
上記第二のつば部は、先端部が上記帽子本体部に対して進退可能に設けられていることを特徴とするつば付き帽子。
【請求項５】
頭部に着用した時に同頭部に接する帽子本体部と、
上記帽子本体部から互いに略反対側に延出した第一および第二のつば部とを備え、
上記第二のつば部は、大きさを可変とされていることを特徴とするつば付き帽子。
【請求項６】
上記第二のつば部は、上記第一のつば部よりも小さな面積とされていることを特徴とする請求項１〜請求項５のいずれかに記載のつば付き帽子。
【請求項７】
上記第二のつば部は、上記第一のつば部の延出方向とは反対方向よりも下方に向かって延出していることを特徴とする請求項１〜請求項６のいずれかに記載のつば付き帽子。
【請求項８】
頭部に着用した時に同頭部に接する帽子本体部と、
上記帽子本体部から互いに略反対側に延出した第一および第二のつば部とを備え、
上記第二のつば部の先端部には、上記帽子本体部方向に向かって窪んだ凹部が形成されていることを特徴とするつば付き帽子。
【請求項９】
上記帽子本体部は、サイズを調節可能なサイズ調節機構を備えることを特徴とする請求項１〜請求項８のいずれかに記載のつば付き帽子。
【請求項１０】
上記帽子本体部は、略半球状のクラウンであることを特徴とする請求項１〜請求項９のいずれかに記載のつば付き帽子。
【請求項１１】
上記クラウンには、外部からの衝撃を吸収可能な衝撃吸収素材が埋め込まれていることを特徴とする請求項１０に記載のつば付き帽子。
【発明の詳細な説明】
【０００１】
【発明の属する技術分野】
本発明は、本体部から延出したつば部を有するつば付き帽子に関する。
【０００２】
【従来の技術】
従来、ゴルフや野球等をする際には、いわゆるキャップを被ることにより、日差しを防いだり、雨をよけたりしている。このキャップは、本体部から一方向にのみ延出して先端部が略半円状とされたつば部を有するつば付き帽子である。
また、特開２０００−２１２８１９号公報に開示された発明のように、前側のつばよりも大きいつばが後側に設けられた帽子も知られている。
【０００３】
【発明が解決しようとする課題】
上述した従来の技術においては、次のような課題があった。
前者のつば付き帽子では、つば部を前にして装着すると、日照りの強い日に首の後ろが日焼けしたり、雨が降ったときに首の後ろが濡れてしまうという問題があった。また、後者のつば付き帽子では、後側に大きなつばが背中にぶつかって装着感が良好でなく、後側のつばが大きいために他の人に違和感を与えるという問題があった。そこで、これらの問題を解消することが望まれていた。
本発明は、上記課題にかんがみてなされたもので、さらに装着感を向上させたり、人に違和感を与えないようにしたりすることが可能なつば付き帽子の提供を目的とする。
【０００４】
【課題を解決するための手段】
上記目的を達成するため、請求項１にかかる発明は、頭部に着用した時に同頭部に接する帽子本体部と、上記帽子本体部から互いに略反対側に延出した第一および第二のつば部とを備え、上記第二のつば部は、上記帽子本体部に対して着脱可能に取り付けられている構成としてある。
すなわち、第二のつば部を帽子本体部に取り付け、第一のつば部を前にして頭部に被ると、首の後ろへの日差しや雨の降り込みを防ぐことができ、日照りの強い日でも首の後ろが日焼けしないし、雨が降っても首の後ろが濡れない。なお、本つば付き帽子のつばは、麦わら帽子のように全周にわたって延出していないので目立たず、人から見られても違和感を感じさせない。一方、第二のつば部を取り外し、第一のつば部を前にして頭部に被ると、従来からのキャップとして使用でき、便利である。そして、使用環境等に応じて第二のつば部を取り付けたり取り外したりすることにより、さらに装着感を向上させたり、人に違和感を与えないようにしたりすることができる。
【０００５】
ここで、第二のつば部を複数用意すれば、使用環境等に応じて第二のつば部を変更することができ、この点でも、さらに装着感を向上させたり、人に違和感を感じさせないようにしたりすることができる。
なお、第二のつば部を髪の色とすると、第二のつば部を後ろ側にして被ったときに目立たず、さらに人に違和感を与えないようにすることができる。
【０００６】
ところで、本つば付き帽子は、人の頭部に装着して好適であるが、人以外の動物や、人形等の頭部に被せるための帽子であってもよい。
また、本つば付き帽子は、第一のつば部を前側にして装着される以外にも、例えば、第二のつば部を前側にして装着されてもよい。
【０００７】
第二のつば部を着脱可能に取り付ける構成の具体例として、請求項２にかかる発明は、上記第二のつば部は、ベルクロ、ファスナー、スナップ、ボタン、ホックのいずれかまたは組み合わせにより上記帽子本体部に対して着脱可能に取り付けられる構成としてある。すなわち、汎用的な材料であるベルクロ等を利用して、第二のつば部を容易に着脱可能にさせる。
【０００８】
取り外した第二のつば部を本つば付き帽子に収容することができると便利である。そこで、請求項３にかかる発明は、上記第二のつば部は、上記帽子本体部から取り外されたとき、上記第一のつば部の下面に取り付け可能とされている構成としてある。すなわち、第二のつば部を用いないときに目立たないように本つば付き帽子と一体にすることができる。
【０００９】
ところで、請求項４にかかる発明のように、上記第二のつば部は、先端部が上記帽子本体部に対して進退可能に設けられている構成としてもよい。
すなわち、帽子本体部に対して第二のつば部の先端部を引き出す操作を行い、第一のつば部を前にして頭部に被ると、麦わら帽子ほど目立たないながら、首の後ろへの日差しや雨の降り込みを防ぐことができる。また、使用環境等に応じて帽子本体部に対して第二のつば部の先端部を進退させることができ、さらに装着感を向上させたり、人に違和感を与えないようにしたりと便利である。
なお、第二のつば部全体を帽子本体部に対して進退可能に設けてもよい。第二のつば部を帽子本体部から引き出し、第一のつば部を前にして頭部に被ると、麦わら帽子ほど目立たないながら首の後ろへの日差しや雨の降り込みを防ぐことができるので、さらに装着感を向上させるとともに、人に違和感を与えないようにすることができる。
【００１０】
第二のつば部の先端部を進退可能にする構成は、様々考えられる。例えば、第二のつば部における帽子本体部側の部位に同第二のつば部における帽子本体部側とは反対側の部位を収容可能な空間を形成しておき、この空間に第二のつば部における帽子本体部側とは反対側の部位を押し込んだり当該部位を同空間から引き出したりすることにより、簡易な構成にて同部位を進退可能とすることができる。むろん、同部位に第二のつば部における帽子本体部側の部位を収容可能な空間を形成してもよい。
【００１１】
また、請求項５にかかる発明のように、上記第二のつば部は、大きさを可変とされている構成としてもよい。
すなわち、第二のつば部を大きくし、第一のつば部を前にして頭部に被ると、麦わら帽子ほど目立たないながら、首の後ろへの日差しや雨の降り込みを防ぐことができる。また、使用環境等に応じて第二のつば部の大きさを変えることができ、さらに装着感を向上させたり、人に違和感を与えないようにしたりと便利である。
【００１２】
第二のつば部の大きさを可変とする構成は、様々考えられる。例えば、第二のつば部の延出方向に伸縮可能な蛇腹を同第二のつば部に形成しておき、第二のつば部を延出方向に引っ張ったりその反対方向に押したりすることにより、簡易な構造にて第二のつば部の大きさを変えることができる。また、第二のつば部を扇子にように形成してもよい。
【００１３】
ここで、請求項６にかかる発明のように、上記第二のつば部は、上記第一のつば部よりも小さな面積とされている構成としてもよい。すなわち、第二のつば部が第一のつば部より小さいので、目立たなくなる。
ところで、第一・第二のつば部は様々な面積比とすることができるが、第一・第二のつば部の先端部が略半円状とされている場合、第二のつば部の面積を第一のつば部の面積の略８割とすると、非常に良好な美感を得ることができる。
むろん、第一・第二のつば部は様々な形状とすることができるため、第一・第二のつば部の面積を略同一にすることも可能である。
【００１４】
また、請求項７にかかる発明のように、上記第二のつば部は、上記第一のつば部の延出方向とは反対方向よりも下方に向かって延出している構成としてもよい。すなわち、第一のつば部を前にして頭部に被ると、第二のつば部はさらに首の後ろに接近した位置となる。
【００１５】
さらに、請求項８にかかる発明のように、上記第二のつば部の先端部には、上記帽子本体部方向に向かって窪んだ凹部が形成されている構成としてもよい。
すなわち、第一のつば部を前にして頭部に被ると、麦わら帽子ほど目立たないながら、首の後ろへの日差しや雨の降り込みを防ぐことができる。また、第二のつば部が首に接触しにくくなるので、さらに装着感を向上させることができ、また、第二のつば部が首に接触することによる不自然な感じが生じないので、人に違和感を与えないようにすることができる。
【００１６】
ここで、凹部は、第二のつば部に一つ形成されていてもよいし、複数形成されていてもよい。また、凹部は様々な形状が考えられ、例えば、帽子本体部方向に向かって略半円状に窪んだ形状とされてもよいし、美感を引き起こさせるために略ハート形に窪んだ形状とされてもよい。
【００１７】
ところで、帽子本体部は、頭部に着用した時に同頭部に接すればよく、様々な構成が考えられる。その一例として、請求項９にかかる発明は、上記帽子本体部は、サイズを調節可能なサイズ調節機構を備える構成としてある。すなわち、サイズ調節機構により、帽子本体部を使用者に合ったサイズに調整することができる。
【００１８】
サイズ調節機構は、様々な構成が考えられる。例えば、着用時に頭部の周囲となる部分に伸びる素材を用いた機構としてもよいし、同部分にギャザーを形成するとともに紐を通すことによりギャザーの伸縮度合を調節可能とした機構としてもよいし、同部分に紐を通すとともに紐の両端を留める留め具を取り付けてサイズを調節可能とした機構としてもよい。
【００１９】
また、請求項１０にかかる発明のように、上記帽子本体部は、略半球状のクラウンである構成としてもよい。すなわち、キャップ等に本発明を適用することができる。むろん、クラウンの無いサンバイザー等であっても本発明を適用可能であり、本つば付き帽子に含まれる。また、本つば付き帽子は、クラウンの山部と谷部とを入れかえ可能ないわゆるリバーシブルの帽子であってもよい。
【００２０】
クラウンを備える帽子本体部の構成の一例として、請求項１１にかかる発明は、上記クラウンには、外部からの衝撃を吸収可能な衝撃吸収素材が埋め込まれている構成としてある。すなわち、ゴルフボールが頭部にぶつかる等、頭部に衝撃が加えられたとき、衝撃吸収素材により衝撃が吸収される。
衝撃吸収素材は、様々な構成が考えられる。例えば、カーボン、プラスチック、衝撃吸収用ジェルのいずれかまたは組み合わせを採用することができる。
【００２１】
【発明の効果】
以上説明したように、請求項１、請求項４、請求項５、請求項８にかかる発明によれば、さらに装着感を向上させたり、人に違和感を与えないようにしたりすることが可能となる。
請求項２にかかる発明によれば、汎用的な材料を利用して容易に第二のつば部を帽子本体部に対して取り付けたり、取り外したりすることができる。
請求項３にかかる発明によれば、第二のつば部を用いないときに目立たないように本つば付き帽子と一体にすることができるので、利便性が向上する。
【００２２】
請求項６にかかる発明によれば、第二のつば部が目立たなくなるので、より違和感を与えないようにさせることができる。
請求項７にかかる発明によれば、第一のつば部を前にして頭部に被ると第二のつば部はさらに首の後ろに接近するので、さらに違和感を与えないようにすることができる。
請求項９にかかる発明によれば、帽子本体部を使用者に合ったサイズに調整することができるので、利便性を向上させることができる。
【００２３】
請求項１０にかかる発明によれば、本つば付き帽子の好適な具体例を提供することができる。
請求項１１にかかる発明によれば、頭部に衝撃が加えられたとき、衝撃吸収素材がプロテクターの役目を果たすので、安全性を向上させることができる。また、衝撃吸収素材はクラウンに埋め込まれているので、人に違和感を与えない。
【００２４】
【発明の実施の形態】
以下、下記の順序に従って本発明の実施形態を説明する。
（１）つば付き帽子の構成：
（２）つば付き帽子の使用態様：
（３）変形例：
（４）第二の実施形態：
（５）第三の実施形態：
（６）第四の実施形態：
（７）第五の実施形態：
【００２５】
（１）つば付き帽子の構成：
以下、図面にもとづいて本発明の実施形態を説明する。
図１は本発明の第一の実施形態にかかるつば付き帽子の外観を示す右側面図であり、図２は図１の底面から見て示した底面図である。なお、図１の左側を前方向、右側を後方向とし、上下関係については同図を基準として説明する。
図に示すように、つば付き帽子１０は、概略、帽子本体部１１、第一のつば部１２、第二のつば部１３とから構成されている。両つば部１２，１３は、肉厚の生地で形成され、帽子本体部１１から互いに略反対側に延出している。
【００２６】
帽子本体部１１は、略半球状に形成され、人の頭部に着用した時に内側において同頭部に接するようになっている。同帽子本体部１１は、円を中心から所定の角度で切りそろえた略扇状の６枚のクラウン用布１１ａが隣同士接合されているとともに、６枚のクラウン用布１１ａ全ての接合部となる頂部に頂部留め具１１ｂが取り付けられている。また、下端の内側面には内側補強布１１ｃが人の頭部周りとなるように取り付けられるとともに、左右縁部にはサイズ調節用の伸縮可能な帯状ゴム１１ｆがクラウン用布１１ａと内側補強布１１ｃとの間に縫い込まれている。そして、前側縁部１１ｄに第一のつば部１２が取り付けられるとともに、後側縁部１１ｅにおいてクラウン用布１１ａと内側補強布１１ｃとの間に第二のつば部１３の帽子本体部側縁部が挟み込まれている。なお、適宜、帽子本体部１１に刺繍を行うようにしてもよい。
【００２７】
第一のつば部１２は、帽子本体部の前側縁部１１ｄから前方に向かって延出している。実際には、帽子本体部１１における下端を通る面よりも下方に向かって延出している。第一のつば部１２の先端部１２ａは略半円形とされているとともに、反対側の本体側縁部１２ｂは帽子本体部の前側縁部１１ｄに接合されている。
【００２８】
第二のつば部１３は、帽子本体部の後側縁部１１ｅから後方に向かって延出している。実際には、帽子本体部１１における下端を通る面よりも下方であり、第一のつば部１２の延出方向とは反対方向よりも下方に向かって延出している。これにより、第一のつば部を前にしてつば付き帽子１０を頭部に被ると、第二のつば部は首の後ろに接近した位置となるので、他の人に違和感を与えない。車を運転するときに第二のつば部がヘッドレストに接触しないという効果も得られる。また、第二のつば部１３の面積は、第一のつば部１２の面積よりも小さくしてある。これにより、第二のつば部１３が目立たなくなるので、この点でも違和感を感じさせないようにさせることができる。ここで、第一のつば部１２に対する第二のつば部１３の面積比は、経験上他の人に非常に良好な美感を与える略８割とされている。従って、本つば付き帽子１０を見る人に非常に良好な美感を感じさせることができる。
【００２９】
なお、第二のつば部は様々な色とすることができるが、人の髪の色に合わせると目立たなくなってさらに違和感を感じさせないようにさせることができる。例えば、日本人用であれば黒色、あるいは、髪を茶色に染めた人用の茶色等とすることができる。外国人用であっても、髪の色に合わせて茶色、黒色等とすることができる。むろん、流行に応じて第二のつば部をわざと目立つ色とすることもできる。
【００３０】
第二のつば部１３の先端部１３ａは略半円形とされているとともに、反対側の本体側縁部１３ｂは帽子本体部の後側縁部１１ｅに取り付けられている。ここで、図３の底面図に示すように、帽子本体部の後側縁部１１ｅにおいてクラウン用布１１ａと内側補強布１１ｃとは下側が開くようになっており、クラウン用布１１ａにおける内側補強布１１ｃ側の面にはベルクロ（メス）１１ｇが縫いつけられ、内側補強布１１ｃにおけるクラウン用布１１ａ側の面にはベルクロ（オス）１１ｈが縫いつけられている。なお、第二のつば部１３については右側面図も示している。ベルクロ（メス）は綿状の接合面を有するとともにベルクロ（オス）は鉤状の突起が多数形成された接合面を有しており、オスとメスとが接合するため、後側縁部１１ｅにおける両布１１ａ，ｃはベルクロ１１ｇ，ｈにより接合可能となっている。一方、第二のつば部１３の本体側縁部１３ｂには上方に延出した延出部１３ｃが形成されており、同延出部１３ｃの後側にベルクロ（オス）１３ｄ、前側にベルクロ（メス）１３ｅが縫いつけられている。なお、分かりやすく説明するため、延出部１３ｃについては帽子本体部１１側の面が見えるように若干傾けて図示している。
【００３１】
従って、延出部１３ｃを帽子本体部の後側縁部１１ｅにおける両布１１ａ，ｃの間に挿入し、ベルクロ１１ｇ，１３ｄを接合させるとともにベルクロ１１ｈ，１３ｅを接合させることにより、第二のつば部１３を帽子本体部１１に対して確実に取り付けることができる。一方、両布１１ａ，ｃを引き離して延出部１３ｃを引き抜くことにより、第二のつば部１３を帽子本体部１１から取り外すことができる。すなわち、第二のつば部１３は、帽子本体部１１に対して着脱可能に取り付けられている。
【００３２】
また、帽子本体部の前側縁部１１ｄにおいても両布１１ａ，ｃは下側が開くようになっており、クラウン用布１１ａにおける内側補強布１１ｃ側の面にはベルクロ（メス）１１ｉが縫いつけられ、内側補強布１１ｃにおけるクラウン用布１１ａ側の面にはベルクロ（オス）１１ｊが縫いつけられている。従って、第二のつば部の延出部１３ｃを帽子本体部の前側縁部１１ｄにおける両布１１ａ，ｃの間に挿入し、ベルクロ１１ｉ，１３ｄを接合させるとともにベルクロ１１ｊ，１３ｅを接合させることにより、第一のつば部１２の下側においても第二のつば部１３を帽子本体部１１に対して取り付けることができる。なお、第一のつば部１２の下面にベルクロ（オス）１２ｃが縫いつけられるとともに、第二のつば部１３の上面における同ベルクロ（オス）１２ｃの対面位置にベルクロ（メス）１３ｆが縫いつけられており、第二のつば部１３を第一のつば部１２の下面に取り付ける際にベルクロ１２ｃ，１３ｆを接合させることにより、帽子本体部から取り外された第二のつば部１３を確実に第一のつば部１２の下面に取り付けることができる。
【００３３】
以上の構成を有するつば付き帽子を製造する際には、例えば、以下のようにすればよい。
すなわち、６枚のクラウン用布１１ａを隣同士縫い合わせて略半球状にし、６枚の同布１１ａ全ての接合部となる頂部に頂部留め具１１ｂをはめ込んでクラウンの外形を形成し、ベルクロ１１ｇ，ｉを縫いつける。次に、ベルクロ１１ｈ，ｊと帯状ゴム１１ｆを内側補強布１１ｃに縫いつけ、同内側補強布１１ｃを帽子本体部１１の内側面に縫いつける。
また、所定の生地を使用して、両つば部１２，１３を所定の形状に切断し、成形する。次に、第一のつば部１２にベルクロ１２ｃを縫いつけ、帽子本体部の前側縁部１１ｄに第一のつば部１２の本体側縁部１２ｂを縫いつける。さらに、所定の型にてプレスすることにより、形状を整える。そして、第二のつば部１３にベルクロ１３ｄ〜ｆを縫いつけ、同第二のつば部１３を帽子本体部における後側縁部１１ｅに取り付けることにより、本つば付き帽子１０を製造することができる。
【００３４】
（２）つば付き帽子の使用態様：
次に、本つば付き帽子１０の使用態様について説明する。
第二のつば部の延出部１３ｃを帽子本体部の後側縁部１１ｅの両布１１ａ，ｃ間に挟み込んで第二のつば部１３を帽子本体部１１に取り付け、第一のつば部１２を前にして頭部に被った状態を図４の上段に示している。ここで、本帽子が着用されたとき、人の頭部周りの大きさに応じて帯状ゴム１１ｆが伸縮することにより、つば付き帽子１０のサイズが調節される。すなわち、帯状ゴム１１ｆはサイズ調節機構を構成する。
【００３５】
同上段に示すように日照りの強い日である場合でも、首の後ろへの日差しを防ぐことができ、首の後ろが日焼けしない。また、雨の日であれば、首の後ろへ雨の降り込みを防ぐことができ、首の後ろが濡れない。なお、本帽子１０のつばは前後にのみ延出しており、麦わら帽子のように全周にわたって延出していないので目立たず、人から見られても違和感を与えない。
【００３６】
一方、曇りの日等のように後側のつばを着けておく必要ないと考えるときには、図の下段に示すように、第二のつば部の延出部１３ｃを両布１１ａ，ｃの間から引き抜いて第二のつば部１３を帽子本体部１１から取り外し、同延出部１３ｃを帽子本体部の前側縁部１１ｄの両布１１ａ，ｃ間に挟み込んで第二のつば部１３を第一のつば部１２の下側において帽子本体部１１に取り付けることができる。ここで、ベルクロ１２ｃ，１３ｆどうしを接合させることにより、確実に第二のつば部１３を第一のつば部１２の下面に取り付けることができる。
【００３７】
同下段に示すように曇りの日であって日焼けを防ぐ必要がない場合には、第一のつば部１２を前にして頭部に被ると、従来からのキャップとして使用でき、便利である。このとき、第二のつば部を用いないときに目立たないように本つば付き帽子と一体にすることができるので、さらに利便性が向上している。また、第二のつば部１３は第一のつば部１２よりも面積が小さいので、第一のつば部１２の下に隠れることになり、より目立たないように本つば付き帽子と一体にすることが可能となっている。
このように、使用環境等に応じて第二のつば部を取り付けたり取り外したりすることにより、従来以上に装着感を向上させたり、人に違和感を与えないようにしたりすることができる。
なお、第一のつば部を前にして被る必要はないため、例えば、第二のつば部を前にして本つば付き帽子を被ってもよい。
【００３８】
また、形状、大きさ、模様等の異なる第二のつば部を複数用意してもよい。図５は、上述した第二のつば部１３とは形状の異なる第二のつば部１４を帽子本体部の後側縁部１１ｅに取り付けた状態を示している。同第二のつば部１４の後端部には、帽子本体部１１方向に向かって窪んだ凹部１４ａが形成されている。すると、第二のつば部が首に接触しにくくなるので、さらに装着感を向上させることができ、また、首に接触することによる不自然な感じが生じないので、人に違和感を与えない。
なお、第二のつば部１３は、第一のつば部１２の下面に取り付けられている。さらに、図示していないが、大雨用に大きな第二のつば部を交換用として用意し、小雨用にはやや小さな第二のつば部を交換用として用意し、ファッション用として美感を引き起こさせる複雑な形状とされた第二のつば部を交換用として容易等すれば、使用環境等に応じてきめ細やかに第二のつば部を交換して使用することができる。
このように、第二のつば部を複数用意すれば、使用環境等に応じて第二のつば部を交換することができ、この点でも、さらに装着感を向上させたり、人に違和感を感じさせないようにしたりすることができる。
また、ベルクロにより第二のつば部を着脱可能としているので、汎用的な材料を利用して容易に第二のつば部を帽子本体部に対して取り付けたり取り外したりすることができるし、容易に第二のつば部を交換することができる。
【００３９】
（３）変形例：
本発明のつば付き帽子は、様々な変形例が考えられる。
例えば、クラウンの無いサンバイザー等であってもよい。図６は変形例にかかるつば付き帽子であるサンバイザー２０の外観を示す図であり、上段にて右側面図を示し、下段にて上段の図の底面から見た底面図を示している。
図に示すように、サンバイザー２０は、概略、帽子本体部２１、第一のつば部２２、第二のつば部２３とから構成されている。両つば部２２，２３は、肉厚の生地で形成され、第二のつば部２３を取り付けた状態において帽子本体部２１から互いに略反対側に延出している。
【００４０】
帽子本体部２１は、着用時に人の頭部の周囲の位置となり、内側において同頭部に接するようになっている。同帽子本体部２１は、左右縁部にサイズ調節用の伸縮可能な帯状ゴム２１ｆが縫い込まれている。そして、前側縁部２１ｄに第一のつば部１２が取り付けられるとともに、後側縁部２１ｅにおいて第二のつば部１３を取り付け可能となっている。
第一のつば部２２は、概略、上記第一のつば部１２と同じ構成とされているため、詳しい説明を省略する。第二のつば部２３も、概略、上記第二のつば部１３と同じ構成とされており、異なる点についてのみ説明する。すなわち、第二のつば部１３の本体側縁部から上方に延出した延出部２３ｃの前側にベルクロ（オス）２３ｄが縫いつけられているとともに、同ベルクロ２３ｄの左右両側にボタン穴２３ｅ，２３ｅが形成されている。一方、帽子本体部の後側縁部２１ｅにおいて、ベルクロ２３ｄに対向する位置にベルクロ（メス）２１ｇが縫いつけられているとともに、同ベルクロ２１ｇの左右両側にボタン２１ｈ，２１ｈも縫いつけられている。
【００４１】
従って、ベルクロ２１ｇ，２３ｄを接合させるとともに、両ボタン穴２３ｅ，２３ｅに両ボタン２１ｈ，２１ｈを通すと、第二のつば部２３を帽子本体部２１に取り付けることができる。ここで、ベルクロ２１ｇの左右両側にてボタン２１ｈ，２１ｈによりボタン留めを行うことにより、湾曲した部位に設けられたベルクロ２１ｇ，２３ｄどうしは外部から力が加えられても引き離されないため、確実に第二のつば部２３を取り付けることができる。一方、ボタン２１ｈ，２１ｈを外してベルクロ２１ｇ，２３ｄを引き離すことにより、第二のつば部２３を帽子本体部１１から取り外すことができるため、第二のつば部２３は帽子本体部２１に対して着脱可能に取り付けられるようになっている。
【００４２】
また、帽子本体部の前側縁部２１ｄの前面にもベルクロ（メス）２１ｉが縫いつけられるとともに、同ベルクロ２１ｉの左右両側にボタン２１ｊ，２１ｊが縫いつけられている。従って、ベルクロ２１ｉ，２３ｄを接合させるとともに、両ボタン穴２３ｅ，２３ｅに両ボタン２１ｊ，２１ｊを通すと、第一のつば部２２の上側においても第二のつば部２３を帽子本体部２１に取り付けることができる。その結果、第二のつば部を用いないときに本つば付き帽子と一体にすることができるので、便利である。
【００４３】
ここで、ボタン２１ｈ，２１ｈ，２１ｊ，２１ｊの代わりにスナップ（メス）とし、ボタン穴２３ｅ，２３ｅの代わりにスナップ（オス）としてもよい。すると、ベルクロ２１ｇ，２３ｄを接合させるとともに、スナップのオスとメスとを嵌合させると、第二のつば部を帽子本体部に取り付けることができる。なお、ボタン２１ｈ，２１ｈ，２１ｊ，２１ｊの一部をスナップ（メス）に置き換え、ボタン穴２３ｅ，２３ｅの一部をスナップ（オス）に置き換えて、ボタンとスナップとで確実に第二のつば部を帽子本体部に取り付けるようにしてもよい。
【００４４】
また、ボタン２１ｈ，２１ｈ，２１ｊ，２１ｊの代わりにホックとし、ボタン穴２３ｅ，２３ｅの代わりにホック穴としてもよい。すると、ベルクロ２１ｇ，２３ｄを接合させるとともに、ホックをホック穴に通すと、第二のつば部を帽子本体部に取り付けることができる。なお、ホックとボタンの組み合わせ、ホックとボタンとスナップの組み合わせにより、確実に第二のつば部を帽子本体部に取り付けるようにしてもよい。
むろん、ベルクロを用いずに、ボタン、スナップ、ホックのいずれかまたは組み合わせにより、第二のつば部を帽子本体部に対して着脱可能に取り付けるようにしてもよい。また、帽子本体部がクラウンとされたつば付き帽子であっても、ボタン、スナップ、ホックのいずれかまたは組み合わせにより、第二のつば部を帽子本体部に対して着脱可能とすることができる。
【００４５】
第二のつば部を帽子本体部に対して着脱可能とする構成は、上述した構成以外にも様々考えられる。図７は、別の変形例にかかるつば付き帽子の外観を示す図であり、上段にて右側面図を示し、下段にて上段の図の底面から見た底面図を示している。なお、図１〜図３と構成が同じものは、同じ符号を付して説明を省略する。
帽子本体部１１の後側縁部１１ｅには、外側面においてクラウン用布１１ａにファスナー１５ａが縫いつけられている。一方、第二のつば部１３の帽子本体部１１側の縁部には、上方に向かってファスナー１５ｂが設けられている。従って、ファスナー１５ａ，ｂどうしをかみ合わせて閉じると、第二のつば部１３を帽子本体部１１に対して確実に取り付けることができる。一方、ファスナー１５ａ，ｂどうしのかみ合わせを解除させると第二のつば部１３を帽子本体部１１から取り外すことができるので、第二のつば部１３は帽子本体部１１に対して着脱可能とされている。
【００４６】
なお、帽子本体部１１の前側縁部１１ｄにも外側面においてクラウン用布１１ａにファスナーを縫いつけておいてもよい。すると、同ファスナーとファスナー１５ｂとをかみ合わせて閉じると、第一のつば部１２の上側において第二のつば部１３を帽子本体部１１に取り付けることができ、第二のつば部を用いないときに本つば付き帽子と一体にすることができて、便利である。
また、ベルクロ、ファスナー、スナップ、ボタン、ホックのうち、任意に組み合わせて第二のつば部を帽子本体部に対して着脱可能に取り付けることが可能である。
【００４７】
ところで、帽子のサイズを調整可能とする構成は、上述した構成以外にも様々考えられる。図８は、別の変形例にかかるつば付き帽子の外観を示す図であり、上段にて右側面図を示し、下段にて上段の図の底面から見た底面図を示している。なお、図１〜図３と構成が同じものは、同じ符号を付して説明を省略する。
帽子本体部１１の左右縁部１６ａ，１６ａにおいて、クラウン用布１１ａと内側補強布１１ｃとの間で一対の紐１６ｂ，１６ｂの前側端部が縫いつけられている。帽子本体部の後側縁部１１ｅの左右には、上下方向とされた切れ込み１６ｃ，１６ｃがクラウン用布１１ａに設けられている。前側が両布１１ａ，ｃに挟まれた位置にある紐１６ｂ，１６ｂは、切れ込み１６ｃ，１６ｃから帽子本体部１１外に引き出されている。また、紐１６ｂ，１６ｂの引っ張り度合に応じたギャザー１６ｄ，１６ｄが、帽子本体部１１の左右縁部において両布１１ａ，ｃに形成されるようになっている。
【００４８】
以上の構成において、両紐１６ｂ，１６ｂの後側端部を後方に引っ張って結ぶと、引っ張り度合に応じたギャザー１６ｄ，１６ｄが形成され、頭部周りの大きさが調節される。すなわち、帽子本体部１１に設けられた紐１６ｂ，１６ｂとギャザー１６ｄ，１６ｄは、帽子のサイズを調節可能なサイズ調節機構を構成する。同サイズ調節機構により、帽子本体部を使用者に合ったサイズに調整することができるので、利便性を向上させることができる。
【００４９】
また、図９に示すように、両紐１６ｂ，１６ｂの後側端部を一つの部材で留める留め具１６ｅを用いてサイズ調節機構を構成してもよい。なお、留め具１６ｅについては、拡大した斜視図も示している。留め具１６ｅには、紐１６ｂ，１６ｂを貫通可能な二つの貫通穴１６ｅ１，１６ｅ１が形成されており、同貫通穴１６ｅ１，１６ｅ１と紐１６ｂ，１６ｂとの間の摩擦力により留め具１６ｅが紐１６ｂ，１６ｂ上に固定されるようになっている。この場合、紐１６ｂ，１６ｂの後側端部を後方に引っ張り、留め具１６ｅを前方へ動かすと、両紐１６ｂ，１６ｂは固定され、引っ張り度合に応じたギャザー１６ｄ，１６ｄが両布１１ａ，ｃに形成されて、頭部周りの大きさが調節される。従って、より簡単に帽子本体部を使用者に合ったサイズに調整することができ、利便性を向上させることができる。
【００５０】
帽子本体部をクラウンとする場合、クラウン用布を二重構造とし、外部からの衝撃を吸収可能な衝撃吸収素材をクラウンに埋め込んでもよい。図１０は、そのような衝撃吸収素材３１ｄが埋め込まれた帽子本体部３１を分解して右側面図により示している。
図において、６枚の外側クラウン用布３１ａ１を隣同士縫い合わせて略半球状にするとともに、６枚の内側クラウン用布３１ａ２を隣同士縫い合わせて略半球状にする。また、衝撃吸収素材３１ｄも、頂部に頂部留め具３１ｂ貫通用の貫通穴を設けておいて略半球状に成形しておく。衝撃吸収素材３１ｄとしては、ハイパーカーボン等のカーボン、繊維強化プリプロピレンやウレタン（カルバミン酸エチル）等のプラスチック、シリコンゲル等の衝撃吸収ゲル、等を採用可能である。衝撃吸収素材３１ｄは、様々な厚みとすることができ、重量が大きくなりすぎず目立たないという観点から例えば１〜３ｍｍとすることができる。そして、衝撃吸収素材３１ｄを両クラウン用布３１ａ１，３１ａ２で挟み込んで埋め込み、クラウン用布３１ａ１，３１ａ２の頂部に頂部留め具３１ｂをはめ込んで、内側補強布３１ｃを帽子本体部３１の内側面に縫いつける。重量の観点からは、これらの素材が衝撃吸収素材として好適であるが、所定の金属を衝撃吸収素材とすることも可能である。
【００５１】
その後、所定の生地を用いて第一・第二のつば部を所定の形状に切断し、成形し、第一のつば部の帽子本体部３１の縁部を帽子本体部３１の前側縁部に縫いつけ、第二のつば部の帽子本体部３１の縁部を帽子本体部３１の後側縁部に対して着脱可能に取り付けることにより、本発明のつば付き帽子を製造することができる。製造されたつば付き帽子３０を、図１１に示している。
【００５２】
本帽子３０を被ると、頭部は衝撃吸収素材３１ｄに覆われるため、ゴルフボールが頭部にぶつかる等、頭部に衝撃が加えられたとき、衝撃吸収素材により衝撃が吸収される。すなわち、衝撃吸収素材がプロテクターの役目を果たすので、安全性を向上させることができる。また、衝撃吸収素材はクラウンに埋め込まれているので、人に違和感を与えない。
【００５３】
（４）第二の実施形態：
ところで、第二のつば部の先端部を帽子本体部に対して進退可能に設けてもよい。図１２は第二の実施形態にかかるつば付き帽子４０の外観を示す図であり、上段にて右側面図を示し、下段にて上段の図の底面から見た底面図を示している。なお、図１〜図３と構成が同じものは、詳しい説明を省略する。
図に示すように、つば付き帽子４０は、概略、帽子本体部４１、同帽子本体部４１から互いに略反対側に延出した第一のつば部４２および第二のつば部４３とから構成されている。
【００５４】
第二のつば部４３は、帽子本体部の後側縁部４１ｅに取り付けられている。同第二のつば部４３は、帽子本体部の後側縁部４１ｅに取り付けられた収容部４３ａと、第二のつば部４３の先端部側の部位すなわち帽子本体部側とは反対側の部位となる引出部４３ｂとから構成されている。収容部４３ａは、引出部４３ｂの引出口４３ｃに繋がる空間４３ｄが内部に設けられている。この空間４３ｄは、略水平に（実際には、後方向に向かって下方となるように）設けられ、変形した三日月状に形成されており、引出部４３ｂが前方向に押されると同空間４３ｄに収容されるようになっている。一方、引出部４３ｂは、所定の厚い生地にて変形した三日月状に形成されており、後側端部が略半円状とされるとともに、前側端部に弾性を示す弓状の抜け防止具４３ｅが取り付けられている。ここで、抜け防止具４３ｅは後方向に向かって膨らんだ形状とされるとともに、両端が引出口４３ｃよりも左右方向において外側となるようにしてある。従って、引出部４３ｂを収容部４３ａから引き出すと、抜け防止具４３ｅが引出口４３ｃに掛止するので、引出部４３ｂは収容部４３ａから抜けない。
以上の構成により、第二のつば部の先端部を帽子本体部に対して進退可能に設けることができる。
【００５５】
図１３の上段は、引出部４３ｂを収容部４３ａから引き出し、第一のつば部４２を前にして頭部に被った状態を示している。同上段に示すように日照りの強い日である場合でも、頭部の後側に第二のつば部があるため、首の後ろへの日差しを防ぐことができ、首の後ろが日焼けしない。また、雨の日であれば、首の後ろへ雨の降り込みを防ぐことができ、首の後ろが濡れない。なお、本帽子４０のつばは麦わら帽子のように全周にわたって延出していないので、人から見られても違和感を与えない。
一方、曇りの日等のように引出部４３ｂを引き出しておく必要ないと考えるときには、図の下段に示すように、引出部４３ｂを収容部４３ａに収容した状態で着用することができる。
このように、使用環境等に応じて第二のつば部の先端部を進退させるという簡単な操作により、さらに装着感を向上させたり、人に違和感を与えないようにしたりすることができる。また、引出部４３ｂは収容部４３ａから外れないので、常に本帽子４０と一体にしておくことができ、便利である。
【００５６】
また、図１４に示す変形例のように、第二のつば部４４を、帽子本体部４１の後側縁部４１ｅに取り付けた被収容部４４ａと、第二のつば部４４の先端部側の部位すなわち帽子本体部側とは反対側の部位となる収容部４４ｂとから構成してもよい。なお、図の上段にてつば付き帽子４０の右側面図を示し、下段にて上段の図の底面から見た底面図を示している。また、図１２と同じ構成のものは、同じ符号を付して説明を省略する。
収容部４４ｂは、被収容部４４ａの引出口４４ｃに繋がる空間４４ｄが内部に設けられている。この空間４４ｄは変形した三日月状に形成されており、収容部４４ｂが前方向に押されると被収容部４４ａが同空間４４ｄに収容されるようになっている。被収容部４４ａは、所定の厚い生地にて変形した三日月状に形成されており、後側端部に弾性を示す弓状の抜け防止具４４ｅが取り付けられている。
以上の構成においても、第二のつば部の先端部を帽子本体部に対して進退可能に設けることができる。そして、第二のつば部の先端部を引き出す操作を行い、第一のつば部を前にして頭部に被ると、麦わら帽子ほど目立たないながら首の後ろへの日差しや雨の降り込みを防ぐことができる。従って、第二のつば部の先端部を進退させるという簡単な操作により、さらに装着感を向上させ、人に違和感を与えないようすることができる。
【００５７】
（５）第三の実施形態：
上述した第二の実施形態は、第二のつば部の大きさを２倍の範囲内で可変にするものとも言える。第二のつば部の大きさを可変にする構成は、さらに様々考えられる。図１５は第三の実施形態にかかるつば付き帽子５０の外観を示す図であり、上段にて右側面図を示し、下段にて上段の図の底面から見た底面図を示している。なお、図１〜図３と構成が同じものは、詳しい説明を省略する。
図に示すように、つば付き帽子５０は、概略、帽子本体部５１、同帽子本体部５１から互いに略反対側に延出した第一のつば部５２および第二のつば部５３とから構成されている。
【００５８】
第二のつば部５３は、帽子本体部の後側縁部５１ｅに取り付けられている。同第二のつば部５３には、略前後方向において伸縮可能な蛇腹状の多数のひだが形成されている。各ひだの山となる部分には弾性を示す弓状の針金が埋め込まれており、各針金の両端部は帽子本体部５１の左右縁部に形成された針金収容穴５１ｃ１，５１ｃ１に挿入されている。ここで、針金収容穴５１ｃ１，５１ｃ１は、クラウン用布５１ａと内側補強布５１ｃとを縫い合わせることにより形成されている。
以上の構成において、第二のつば部５３の後側縁部である先端部を前方向に押すと、図１６に示すように、各針金の両側の端部５３ａは針金収容穴５１ｃ１，５１ｃ１中を前方向に進み、蛇腹は前方向に縮む。また、第二のつば部５３の先端部を後方向に引っ張ると、各針金の両側の端部５３ａは針金収容穴５１ｃ１，５１ｃ１中を後方向に進み、蛇腹は後方向に伸びる。このように、第二のつば部５３は、大きさを可変とされている。むろん、第二のつば部の先端部が帽子本体部に対して進退可能に設けられているとも言える。
【００５９】
そこで、第二のつば部５３を大きくし、第一のつば部５２を前にして頭部に被ると、麦わら帽子ほど目立たないながら、首の後ろへの日差しや雨の降り込みを防ぐことができる。また、使用環境等に応じて先端部を前方向に押したり後方向に引いたりするという簡単な操作で第二のつば部５３の大きさを変えることができ、便利であるとともに、さらに装着感を向上させ、人に違和感を与えないようにすることができる。
【００６０】
（６）第四の実施形態：
第二のつば部の先端部に凹部を形成すると、第二のつば部が首に接触しにくくなるので、着脱可能であるか否か、進退可能であるか否か、大きさが可変であるか否かに関係なくさらに装着感を向上させることができる。図１７〜図２１は、第四の実施形態にかかるつば付き帽子６０の外観を正投影図法により示している。ここで、図１７〜図２１は、帽子６０のそれぞれ、正面図、背面図、右側面図、平面図、底面図である。左側面図は右側面図と対称にあらわれるため省略している。また、図２２は、第四の実施形態にかかるつば付き帽子６０の着用したときの参考図である。なお、図１〜図３と構成が同じものは、詳しい説明を省略する。
図に示すように、つば付き帽子６０は、概略、帽子本体部６１、同帽子本体部６１から互いに略反対側に延出した第一のつば部６２および第二のつば部６３とから構成されている。
【００６１】
第二のつば部６３は、帽子本体部の後側縁部６１ｅに取り付けられている。同第二のつば部６３の先端部すなわち帽子本体部６１側とは反対側の端部には、帽子本体部６１方向に向かって窪んだ凹部６１ａが形成されている。
すなわち、第一のつば部６２を前にして頭部に被ると、頭部の後側に第二のつば部６３があるため、首の後ろへの日差しや雨の降り込みを防ぐことができる。また、本帽子６０のつばは麦わら帽子のように全周にわたって延出していないので、目立たない。ここで、凹部６３ａを形成したことにより、上を向く等しても第二のつば部の先端部が首に接触しにくくなるので、さらに装着感を向上させることができる。さらに、第二のつば部の先端部が首に接触することによる不自然な感じを生じさせなくなるので、人に違和感を与えないようにすることができる。
【００６２】
（７）第五の実施形態：
図２３〜図２７は、第五の実施形態にかかるつば付き帽子であるサンバイザー７０の外観を正投影図法により示している。ここで、図２３〜図２７は、帽子７０のそれぞれ、正面図、背面図、右側面図、平面図、底面図である。左側面図は右側面図と対称にあらわれるため省略している。また、図２８、図２９は、第五の実施形態にかかるつば付き帽子であるサンバイザー７０の着用したときの参考図である。なお、図１〜図３と構成が同じものは、詳しい説明を省略する。
図に示すように、サンバイザー７０は、概略、帽子本体部７１、同帽子本体部７１から互いに略反対側に延出した第一のつば部７２および第二のつば部７３とから構成されている。本帽子７０は、長さの異なるつばを前後に備えており、適宜前後を逆にして着用することができる。図２８、図２９の参考図は、本帽子７０を着用した状態を示しており、互いに前後を逆にして着用した状態をそれぞれ示している。ここで、図２８は第一のつば部７２を前にして着用した状態を示しており、図２９は第二のつば部７３を前にして着用した状態を示している。
【００６３】
一方のつば部を前にして頭部に被ると、頭部の後側に他方のつば部があるため、首の後ろへの日差しや雨の降り込みを防ぐことができる。また、本帽子７０のつばは麦わら帽子のように全周にわたって延出していないので、目立たない。従って、人に違和感を与えないようにすることができる。
【００６４】
以上説明したように、本発明によると、種々の態様により、さらに装着感を向上させたり、人に違和感を与えないようにしたりすることが可能なつば付き帽子を提供することができる。むろん、本つば付き帽子は、人以外の動物や、人形等の頭部に被せるための帽子であってもよい。
【図面の簡単な説明】
【図１】本発明の第一の実施形態にかかるつば付き帽子の外観を示す右側面図である。
【図２】つば付き帽子を図１の底面から見て示す底面図である。
【図３】つば付き帽子を分解して示す底面図である。
【図４】つば付き帽子の使用態様を示す図である。
【図５】つば付き帽子の使用態様を示す図である。
【図６】変形例にかかるつば付き帽子であるサンバイザーの外観を示す図である。
【図７】別の変形例にかかるつば付き帽子の外観を示す図である。
【図８】別の変形例にかかるつば付き帽子の外観を示す図である。
【図９】別の変形例にかかるつば付き帽子の外観を示す図である。
【図１０】別の変形例にかかるつば付き帽子を分解して示す右側面図である。
【図１１】つば付き帽子の使用態様を示す図である。
【図１２】第二の実施形態にかかるつば付き帽子の外観を示す図である。
【図１３】つば付き帽子の使用態様を示す図である。
【図１４】変形例にかかるつば付き帽子の外観を示す図である。
【図１５】第三の実施形態にかかるつば付き帽子の外観を示す図である。
【図１６】第二のつば部を小さくした状態を示す右側面図である。
【図１７】第四の実施形態にかかるつば付き帽子の外観を示す正面図である。
【図１８】第四の実施形態にかかるつば付き帽子の外観を示す背面図である。
【図１９】第四の実施形態にかかるつば付き帽子の外観を示す右側面図である。
【図２０】第四の実施形態にかかるつば付き帽子の外観を示す平面図である。
【図２１】第四の実施形態にかかるつば付き帽子の外観を示す底面図である。
【図２２】第四の実施形態にかかるつば付き帽子の着用したときの参考図である。
【図２３】第五の実施形態にかかるつば付き帽子であるサンバイザーの外観を示す正面図である。
【図２４】第五の実施形態にかかるつば付き帽子であるサンバイザーの外観を示す背面図である。
【図２５】第五の実施形態にかかるつば付き帽子であるサンバイザーの外観を示す右側面図である。
【図２６】第五の実施形態にかかるつば付き帽子であるサンバイザーの外観を示す平面図である。
【図２７】第五の実施形態にかかるつば付き帽子であるサンバイザーの外観を示す底面図である。
【図２８】第五の実施形態にかかるつば付き帽子であるサンバイザーの着用したときの参考図である。
【図２９】第五の実施形態にかかるつば付き帽子であるサンバイザーの着用したときの参考図である。
【符号の説明】
１０，２０，３０，４０，５０，６０，７０…つば付き帽子
１１，２１，３１，４１，５１，６１，７１…帽子本体部
１２，２２，４２，５２，６２，７２…第一のつば部
１３，１４，２３，４３，４４，５３，６３，７３…第二のつば部
１１ｆ，２１ｆ…帯状ゴム
１１ｇ〜ｊ，１２ｃ，１３ｄ〜ｆ…ベルクロ
１２ａ，１３ａ…先端部
１２ｂ，１３ｂ…本体側縁部
１３ｃ，２３ｃ…延出部
１４ａ，６３ａ…凹部
１５ａ，ｂ…ファスナー
１６ｂ…紐
１６ｃ…切れ込み
１６ｄ…ギャザー
１６ｅ…留め具
２１ｇ，ｉ，２３ｄ…ベルクロ
２１ｈ，ｊ…ボタン
２３ｅ…ボタン穴
３１ｄ…衝撃吸収素材
４３ａ，４４ｂ…収容部
４３ｂ…引出部
４３ｃ，４４ｃ…引出口
４３ｄ，４４ｄ…空間
４３ｅ，４４ｅ…抜け防止具
４４ａ…被収容部
５１ｃ１…針金収容穴
５３ａ…針金の端部
【図１】
2004068202.tif 000003
【図２】
2004068202.tif 000004
【図３】
2004068202.tif 000005
【図４】
2004068202.tif 000006
【図５】
2004068202.tif 000007
【図６】
2004068202.tif 000008
【図７】
2004068202.tif 000009
【図８】
2004068202.tif 000010
【図９】
2004068202.tif 000011
【図１０】
2004068202.tif 000012
【図１１】
2004068202.tif 000013
【図１２】
2004068202.tif 000014
【図１３】
2004068202.tif 000015
【図１４】
2004068202.tif 000016
【図１５】
2004068202.tif 000017
【図１６】
2004068202.tif 000018
【図１７】
2004068202.tif 000019
【図１８】
2004068202.tif 000020
【図１９】
2004068202.tif 000021
【図２０】
2004068202.tif 000022
【図２１】
2004068202.tif 000023
【図２２】
2004068202.tif 000024
【図２３】
2004068202.tif 000025
【図２４】
2004068202.tif 000026
【図２５】
2004068202.tif 000027
【図２６】
2004068202.tif 000028
【図２７】
2004068202.tif 000029
【図２８】
2004068202.tif 000030
【図２９】
2004068202.tif 000031